(57)【要約】【課題】  第３世代方式であるＷ−ＣＤＭＡ方式の携帯電話機においては、ＲＡＫＥ受信機の数及びセルサーチ、パスサーチ等の処理から第２世代であるＰＤＣ方式の携帯電話機と比べて消費電力が極めて大きく、ユーザの連続使用時間が制限される問題があった。【解決手段】  セルサーチ中に一定の条件で、携帯電話機が静止していると無線部１２の物理層２２及びＲＲＣ２１が判断した場合には、在圏セルのモニター周期及びリセレクション周期を伸ばすことで、不要なセルサーチを省略する。【選択図】  図２
2005295037.tif 000002
【特許請求の範囲】
【請求項１】
符号分割多重接続（ｃｄｍａ）方式を採用する無線部を含む端末装置において、
前期無線部は測定部を含み、
前記測定部は所望のモニター周期毎にアクティブセルを所定の期間測定し、前記所定の期間前記アクティブセルが不変の場合、前記測定部が前記所望のモニター周期を延長することを特徴とする端末装置。
【請求項２】
符号分割多重接続（ｃｄｍａ）方式を採用する無線部を含む端末装置において、
前期無線部は測定部を含み、
前記測定部は所望のモニター周期毎にアクティブセルを所定の回数測定し、前記所定の回数の間、前記在圏するセルが不変の場合、前記測定部が前記所望のモニター周期を延長することを特徴とする端末装置。
【請求項３】
符号分割多重接続（ｃｄｍａ）方式を採用する無線部を含む端末装置において、
前記無線部はＲＲＣ（ラジオリソースコントロール）を含み、
前記ＲＲＣは所望のセルリセレクション周期毎にセルリセレクションを開始し、前記セルリセレクションの前後で在圏セルが不変であるときは前記セルリセレクション周期を延長することを特徴とする端末装置。
【請求項４】
請求項３記載の端末装置であって、
前期無線部は更に測定部を含み、
前記ＲＲＣは前記セルリセレクション開始時に前期測定部に在圏セルのモニター開始指示を出力し、また、前記測定部より受け取った報告在圏セルと前記モニター開始指示出力時の在圏セルを対比して前記セルリセレクション周期の延長を判断し、
前記測定部は前記モニター開始指示を受け所望の期間在圏セルとなったセルを記録し、かつ、その回数をカウントし、その結果から前記報告在圏セルを特定し、前記ＲＲＣに送付することを特徴とする端末装置。
【請求項５】
請求項４記載の端末装置であって、
前記測定部は所望の回数以上在圏セルとしてカウントされたセルを前記報告在圏セルとして前記ＲＲＣに報告することを特徴とする端末装置。
【請求項６】
請求項５記載の端末装置であって、
前期測定部は所望の回数以上在圏セルとしてカウントされたセルがなかった場合、前記所望の期間の最後にモニターされたセルを前記報告在圏セルとして前記ＲＲＣに報告することを特徴とする端末装置。
【請求項７】
請求項５記載の端末装置であって、
前期測定部は所望の回数以上在圏セルとしてカウントされたセルがなかった場合、前記所望の期間中もっとも多くカウントされたセルを前記報告在圏セルとして前記ＲＲＣに報告することを特徴とする端末装置。
【請求項８】
前記端末装置は携帯電話機であることを特徴とする請求項１乃至７のいずれか１の端末装置。
【請求項９】
前記端末装置はデジタルカメラであることを特徴とする請求項１乃至７のいずれか１の端末装置。
【請求項１０】
符号分割多重接続（ｃｄｍａ）方式を採用する無線部を含む端末装置の在圏セル確認方法であって、
所望のモニター周期毎にアクティブセルを所定の期間測定し、
前記所定の期間前記在圏するセルが一定の場合には前記モニター周期を延長することを特徴とする在圏セル確認方法。
【請求項１１】
符号分割多重接続（ｃｄｍａ）方式を採用する無線部を含む端末装置の在圏セル確認方法であって、
所望のモニター周期毎にアクティブセルを所定の回数測定し、
前記所定の回数前記在圏するセルが一定の場合には前記モニター周期を延長することを特徴とする在圏セル確認方法。
【請求項１２】
符号分割多重接続（ｃｄｍａ）方式を採用する無線部を含む端末装置のセルリセレクション方法であって、
所望のセルリセレクション周期毎にセルリセレクションを開始し、前記セルリセレクションの前後で在圏セルが不変であるときは前記セルリセレクション周期を延長する事を特徴とするセルリセレクション方法。
【請求項１３】
符号分割多重接続（ｃｄｍａ）方式を採用する無線部を含む端末装置のセルリセレクション方法であって、
所望のセルリセレクション周期毎にセルリセレクションを開始するセルリセレクション開始ステップと、
所定の期間在圏セルを確認し、在圏セルと確認されたセルおよびその確認された回数を記録する在圏セル監視ステップと、
前記在圏セル監視ステップで求めた結果を参照して報告在圏セルを選定する報告在圏セル選定ステップと、
前記報告在圏セル選定ステップで求めた前記報告在圏セルとセルリセレクション開始前の在圏セルとを対比して前記所望のセルリセレクション周期の延長を行うセルリセレクション実行ステップからなる端末装置のセルリセレクション方法。
【請求項１４】
請求項１３記載の端末装置のセルリセレクション方法であって、
在圏セル監視ステップで記録された前期確認された回数が所定の回数以上のセルを在圏セルとし、
前記セルリセレクション実行ステップでセルリセレクション開始前の在圏セルと在圏セル監視ステップで確認された在圏セルとを対比し、前記対比の結果が同一であれば前記所望のセルリセレクション周期の延長を行うことを特徴とする端末装置のセルリセレクション方法。
【請求項１５】
請求項１４記載の端末装置のセルリセレクション方法であって、
前記報告在圏セル選定ステップは前記所定の回数以上のセルが複数ある場合に、前記確認された回数が最多のものを報告在圏セルとすることを特徴とする端末装置のセルリセレクション方法。
【請求項１６】
請求項１４記載の端末装置のセルリセレクション方法であって、
前記報告在圏セル選定ステップは前記所定の回数以上のセルが複数ある場合に、前記複数のセルの中から最近に確認されたセルを報告在圏セルとすることを特徴とする端末装置のセルリセレクション方法。
【請求項１７】
請求項１３記載の端末装置のセルリセレクション方法であって、
在圏セル監視ステップで記録された前期確認された回数が所定の回数以上のセルを在圏セルとし、
前記セルリセレクション実行ステップでセルリセレクション開始前の在圏セルと在圏セル監視ステップで確認された在圏セルとを対比し、前記対比の結果が同一であることが複数回連続すると前記所望のセルリセレクション周期の延長を行うことを特徴とする端末装置のセルリセレクション方法。
【発明の詳細な説明】
【技術分野】
【０００１】
本発明は、Ｗ−ＣＤＭＡ（ワイドバンドシーディーエムエー）のセルサーチを効率的に行い消費電力の低減に資する方法に関する。
【背景技術】
【０００２】
第三世代携帯電話に関するＷ−ＣＤＭＡ方式は、ＰＤＣ方式やＧＳＭ方式と言ったＴＤＭＡ（時分割多重方式）を主に採用する第二世代携帯電話の後継の方式である。その特徴は送信側で狭帯域の信号を基地局ごとに割り振られた拡散符号により広帯域に拡散させ送信し、受信側で逆拡散することでノイズの影響を低減するとともに大量のデータを送信することを可能にする点である。
【０００３】
Ｗ−ＣＤＭＡ方式の受信機は障害物等に伝送路の経由が異なる電波が時差を持って異動期に到着するマルチパスフェージングを克服するために複数のＲＡＫＥ受信機を有する。そして、各ＲＡＫＥ受信機により得られた信号はそれぞれ遅延時間の補正を行い、その後ＲＡＫＥ合成する。これにより従来はノイズの主要因であったマルチパスフェージングによる信号の劣化要因を、各パスを同期させることでより強い電波として取り扱うことができる点が長所である。
【０００４】
またＲＡＫＥ受信機を複数持つことで２つ以上の基地局から同じ電波を受けつつ、ＲＡＫＥ合成によって一つの信号とみなしながら受信するソフトハンドオーバーを行うことができる。これにより第２世代携帯電話で起きた通話中のハンドオーバー時にセル間の周波数切り替えによって発生した瞬断現象を克服することができる。
【０００５】
そしてこのソフトハンドオーバーを実行するためには自身が存在する基地局のセル（パスロスのもっとも小さなセル）だけでなく隣接する基地局（パスロスが２番目に小さなセル）の拡散符号を移動局（＝携帯電話機）は入手する必要がある。隣接する基地局を検索する際、Ｗ−ＣＤＭＡにおいては共通パイロットチャンネル（＝ＣＰＩＣＨ）の拡散符号を有するセルを検出する処理が必要でありこれをセルサーチという。そして、隣接する基地局（パスロスが２番目に小さなセル）の拡散符号を検出し、下り方向の拡散符号の同期が確立すると、移動局は下り方向に予め決められたタイミングでＲＡＣＨ（ランダムアクセスチャンネル）を送信するので、高速に拡散符号同期を確立することが出来る。
【０００６】
以上のように、Ｗ−ＣＤＭＡ方式には第二世代携帯電話の様々な弱点を克服しているが、それに伴い新たな弱点が発生した。すなわち消費電力の増大である。これはＷ−ＣＤＭＡ方式では上述のように第二世代携帯電話では生じ得なかった処理が追加されているため生じるものであり実際のユーザの利便性を大きく損なうものであった。
【０００７】
このような消費電力の増大防止のために最初に考えられることは、上記の列記した処理を可能な限り省略することである。そして、上記の処理のうち、非通信状態でも生じる処理としてセルサーチがあり、これを省略する方法は過去いろいろなものが存在する。
【０００８】
例えば、特開平６−１３９５９号公報には第二世代携帯電話における隣接する基地局の周波数の検出を省略する方法が記載されている。すなわち、自身の存在するセルの電解強度まず測定し、電解強度が十分に大きい場合には、電解強度の変化及び隣接する基地局の発する周波数帯の電解強度の測定そのものを省略し、一方、電解強度が小さい時には電解強度変化を検出して移動状態を検出するというものである。
【０００９】
【非特許文献１】Ｗ−ＣＤＭＡ移動通信方式第３５頁（ＩＳＢＮ４−６２１−０４８９４−５）
【非特許文献２】３ＧＴＳ２５．３０３Ｖ３．３．０（特に６．４．２  ＣＥＬＬ  ＵＰＤＡＴＥ）
【特許文献１】特開平６−１３９５９号公報
【発明の開示】
【発明が解決しようとする課題】
【００１０】
しかし、特開平６−１３９５９号公報は第二世代携帯電話特有の事情である隣接する基地局が異なる周波数を用いていることを前提に創作されたものであり、隣接する基地局が同一周波数を利用するＷ−ＣＤＭＡ方式にそのまま適用するには困難な点がある。
【００１１】
本発明は静止時において無用なモニター（セルの電界レベルを計測すること）およびセルリセレクション（セルを入れ替えること）を抑制することに及び静止時か移動時かの判断を簡便な方法で提供することで、無駄な電力消費を防ぐ方法を提供するものである。
【課題を解決するための手段】
【００１２】
本発明に係る端末装置は、符号分割多重接続（ｃｄｍａ）方式を採用する無線部（１２）を含み、この無線部は測定部を含み、測定部は所望のモニター周期毎にアクティブセルを所定の期間測定し、この間アクティブセルが不変の場合、前記所望のモニター周期を延長することを特徴とする。
【００１３】
また本発明に係る端末装置の無線部は測定部（２７）を含み、この無線部は所望のモニター周期毎にアクティブセルの測定を所定の回数行い、この所定の回数の間アクティブセルが不変の場合は測定部が前記所望のモニター周期を延長することを特徴とする。
【００１４】
また本発明に係る端末装置の無線部はＲＲＣ（ラジオリソースコントロール：２１）を含み、このＲＲＣは所望のセルリセレクション周期毎にセルリセレクションを開始し、セルリセレクションの前後で在圏セルが不変であるときはセルリセレクション周期を延長することを特徴とする。
【００１５】
この端末装置の無線部は更に測定部（２７）を含み、ＲＲＣ（２１）は前記セルリセレクション開始時に測定部に在圏セルのモニター開始指示を出力し、測定部はこのモニター開始指示を受け所望の期間在圏セルとなったセルを記録しその回数をカウントし、その結果から報告在圏セルを特定した後ＲＲＣに送付し、ＲＲＣは受け取った報告在圏セルと前記モニター開始指示出力時の在圏セルを対比して前記セルリセレクション周期の延長を判断しても良い。
【００１６】
また、この測定部（２７）は所望の回数以上在圏セルとしてカウントされたセルを報告在圏セルとして前記ＲＲＣに報告しても良い。
【００１７】
また、この測定部（２７）は所望の回数以上在圏セルとしてカウントされたセルがなかった場合、所望の期間の最後にモニターされたセルを報告在圏セルとしてＲＲＣ（２１）に報告しても良い。
【００１８】
また、この測定部（２７）は所望の回数以上在圏セルとしてカウントされたセルがなかった場合、所望の期間中もっとも多くカウントされたセルを報告在圏セルとしてＲＲＣ（２１）に報告しても良い。
【００１９】
これらの端末装置は携帯電話機であってもデジタルカメラであっても良い。
【００２０】
本発明に係る在圏セル確認方法は所望のモニター周期毎にアクティブセルを所定の期間測定し、この間セルが一定の場合には前記モニター周期を延長する。
【００２１】
また本発明に係る在圏セル確認方法は、所望のモニター周期毎にアクティブセルを所定の回数測定し、この間在圏するセルが一定の場合には前記モニター周期を延長する。
【００２２】
本発明に係る端末装置のセルリセレクション方法は、所望のセルリセレクション周期毎にセルリセレクションを開始し、セルリセレクションの前後で在圏セルが不変であるときは前記セルリセレクション周期を延長する事を特徴とする。
【００２３】
また、本発明に係る端末装置のセルリセレクション方法は、所望のセルリセレクション周期毎にセルリセレクションを開始するセルリセレクション開始ステップと、所定の期間在圏セルを確認し、在圏セルと確認されたセルおよびその確認された回数を記録する在圏セル監視ステップと、前記在圏セル監視ステップで求めた結果を参照して報告在圏セルを選定する報告在圏セル選定ステップと、前記報告在圏セル選定ステップで求めた前記報告在圏セルとセルリセレクション開始前の在圏セルとを対比して前記所望のセルリセレクション周期の延長を行うセルリセレクション実行ステップからなる。
【００２４】
また、本発明に係る端末装置のセルリセレクション方法は、在圏セル監視ステップで記録された前期確認された回数が所定の回数以上のセルを在圏セルとし、前記セルリセレクション実行ステップでセルリセレクション開始前の在圏セルと在圏セル監視ステップで確認された在圏セルとを対比し、同一であれば前記所望のセルリセレクション周期の延長を行っても良い。
【００２５】
さらにこのセルリセレクション方法の報告在圏セル選定ステップは前記所定の回数以上のセルが複数ある場合に、前記確認された回数が最多のものを報告在圏セルとしても良い。
【００２６】
さらにこのセルリセレクション方法の報告在圏セル選定ステップは前記所定の回数以上のセルが複数ある場合に、前記複数のセルの中から最近に確認されたセルを報告在圏セルとしても良い。
【００２７】
また、本発明に係る端末装置のセルリセレクション方法は、在圏セル監視ステップで記録された前期確認された回数が所定の回数以上のセルを在圏セルとし、前記セルリセレクション実行ステップでセルリセレクション開始前の在圏セルと在圏セル監視ステップで確認された在圏セルとを対比し、対比の結果が同一であることが複数回連続するとセルリセレクション周期の延長を行うようにしても良い。
【発明の効果】
【００２８】
本発明によれば、アクティブセルのモニター周期の延長およびセルリセレクション周期の延長によって不要なアクティブセルのモニター及びセルリセレクションを抑制する。これにより端末全体の省電力化（バッテリーセービング）を図ることが期待できる。その結果、待ち受け時間を延ばすことが期待できる。
【００２９】
また、セルリセレクション周期が伸びることでＳＲＮＣ（Serving Radio Network Controller）に対してのセルアップデート、セルアップデートコンファームのやり取りが減少するため、移動体通信網の負荷を軽減する効果が期待できる。
【発明を実施するための最良の形態】
【００３０】
以下において装置名称を単に携帯電話機としているが、必ずしもＷ−ＣＤＭＡ方式に拘るものではない。ＣＤＭＡ（符号分割多重）方式を用いる他の方式すなわちＩＳ−９５やｃｄｍａ２０００であっても良い。
【実施例１】
【００３１】
図１は、本発明の第一の実施例に係わる携帯電話機１のブロック図を、図２はＷ−ＣＤＭＡ方式の携帯電話機のプロトコルアーキテクチャを表す。
【００３２】
本携帯電話機１はアンテナ１１、無線部１２、制御部１３、メモリ部１４、表示部１５、操作部１６、スピーカ１７及び、マイク１８より構成される。
【００３３】
アンテナ１１は送受信のために用いられる媒体であり、その共振周波数のアナログ信号を拾うことで基地局から送られて来る情報を取得することが可能となる。従って、使用する波長の半分の長さ（λ／２）を持つものが理論上最良といえる。
【００３４】
無線部１２はアンテナ１１が拾ったアナログ信号を復調しデジタル化することで、制御部１４等が扱えるようにする役割を持つ。また、無線部１２は図示しない基地局に対してアンテナ１１を解して伝送路符号化したアナログ信号を出力する。なお、近時の携帯電話機ではアプリケーション動作用と無線通信用の２つのＣＰＵを用いることが一般的であるが、本発明において無線部１２は無線通信用のＣＰＵを含む。
【００３５】
制御部１３は携帯電話機１の制御全般を司る。通常ＣＰＵ（中央処理装置）周りのことを言い、近年では無線通信用とアプリケーション用の２つのＣＰＵを用いることも一般化しているが本発明において制御部１３はアプリケーション動作用のＣＰＵ等を想定する。
【００３６】
メモリ部１４は制御部１３等が動作する際のテンポラリ領域として用いられるＲＡＭ（ランダムアクセスメモリ）、基本プログラム等が書き込まれたＲＯＭ（リードオンリーメモリ）のほか、電源を切っても保持する必要がある情報を格納する不揮発性メモリなどを言う。これも、特に実際に用いられるデバイスを本発明においては指定するものではない。
【００３７】
表示部１５は、携帯電話機１のステータス、例えば着呼やメール受信といった受動的なイベントや発信先番号、編集中のメールエディッタ等の能動的なイベントを表示する液晶ディスプレイやディスプレイドライバ等から構成される。液晶ディスプレイの変わりに有機ＥＬディスプレイ等を用いても良い。
【００３８】
操作部１６は携帯電話機１の操作者が電話番号の入力やメールの編集等に用いるテンキーやポインティングデバイスより構成される。また、用途によってはジョグダイヤル等を用いても良く、その構成は設計的事項である。
【００３９】
スピーカ１７及びマイク１８は通話などに主に用いるデバイスであるが、用途はそれだけに限らない。
【００４０】
図２はアンテナ部１１、及び無線部１２のプロトコルアーキテクチャを表した図である。
【００４１】
アンテナ部１１で受信したアナログ信号は、受信部１２の物理層（ＰＨＹ）２２に送られる。物理層２２では受け取った伝送路符号化されたアナログ信号をデジタル信号に復調する役割を有する。また受信品質の計測も物理層２２で行う。
【００４２】
ＲＲＣ（ラジオリソースコントロール）２１は第３層（ネットワーク層）の一つである。ＲＲＣ２１は端末たる携帯電話機から基地局へのコネクションの確立等を行う。また、物理層２２及びＭＡＣ層２３の制御・観測等も行う。本発明は主に、このＲＲＣ２１の動作に関するものである。ＲＲＣ２１ではＭＡＣ層２３より報告される報告在圏セルを保持し、次回のセルリセレクションで使用する。
【００４３】
物理層２２ではアンテナ部１１で受信されたアナログ信号をデジタル信号に復号する。併せて受信電解の品質の計測をＲＲＣ２１の制御の元で行う。またＲＲＣ２１からリセレクションの開始を指示された際、送受信の開始・停止を制御する。物理層２２で復調されたデジタル信号はいまだそのままの形では制御部１３で使用することは出来ない。すなわち、誤り検出及び誤り訂正を行いやすいように通信路符号化がなされているためである。これらの通信路符号化の複合をＭＡＣ（メディアアクセスコントロール）層２３が行う。
【００４４】
ＭＡＣ層２３では論理チャンネルとトランスポートチャンネルのマッピングやトランスポートフォーマットコンビネーションの選択共通チャンネルにおける携帯電話機等の端末の識別などを行う。また本発明においてはＢＣＣＨを参照したモニター期間中のアクティブセル（最もパスロスの小さなセル）の観測及びその結果から現在端末が存在すると思われるセル（在圏セル）を導出し、ＲＲＣ２１に在圏セルを報告する機能を有する。このＲＲＣ２１に報告される在圏セルのことを報告在圏セルと言う。
【００４５】
ＲＬＣ群２４は透過型データ転送、非確認型データ転送、確認型データ転送を実現するために、セグメンテーション（断片化）やリアッセンブリ（再結合化）、パディングと言った機能を上位層に提供する。本発明においてはＭＡＣ層が特定した在圏セルをＲＲＣ２１に送信する仲介をする。
【００４６】
なお、本発明の詳細な説明では物理層２２、ＭＡＣ層２３及びＲＬＣ群２４の品質測定機能及び測定結果の解析機能を包含して測定部２７と称する。
【００４７】
ＢＭＣ（ブロードキャスト・マルチキャストコントロール）２５はＯＳＩの７階層モデルで言うデータリンク層に当たるＬ２サブレイヤーである。ＢＭＣはブロードキャスト・マルチキャスト以外の全てのサービスで透過的に扱われる。
【００４８】
ＰＤＣＰ（パケットデータカバレッジプロトコル）２６はＲＬＣ群２４によって提供されるサービスを使用して、冗長なネットワークＰＤＵ制御情報の圧縮やパケットデータプロトコルユーザデータの転送等を主な機能とする。
【００４９】
図３は図１，図２の構成からなる本発明に係る携帯電話機が実際に基地局との間でどのような動作を行うかを表すための図である。
【００５０】
セル３１、セル３２、セル３３はそれぞれＢＴＳ−Ａ３４、ＢＴＳ−Ｂ３５、ＢＴＳ−Ｃ３６に対応した電波の届く範囲であるセルである。そして本図においては現在ユーザが保持する携帯電話機３７がＢＴＳ―Ａ３４のセル３１に在圏している。
【００５１】
無線部１２は周期的にその地点で見えているセル３１だけではなく周辺のセル３２およびセル３３の受信電界品質をモニターし無線部１２のＣＰＵに報告する。ユーザの携帯電話機３７の無線部１２がセル３１（在圏セル）に存在している際、セル３２、セル３３（モニターセル）もモニターしているときを考える。電界状況の変化などによりセル３１よりもレベルの高いセル（セル３２ or セル３３）が表れれば、無線部１２の物理層２２はパスロスの最も少ないセルに携帯電話機が存在していると判断し、新しい在圏セルをＲＲＣ２１に報告する。その後ＲＲＣ２１は報告された在圏セルとモニター開始前の在圏セルとを対比し、双方が相違すると、ＲＲＣ２１は在圏セルの入れ替え（セルリセレクション）を実行する。
【００５２】
ここで、ユーザの携帯電話機３７が静止し続ける場合には在圏するＢＴＳ−Ａ３４の電解レベル及び周辺のＢＴＳ−Ｂ３５、ＢＴＳ−Ｃ３６の電解レベルはそれほど激しくが変化するとは考えがたい。従って、常に同じセルをモニターすることが予想される。
【００５３】
一方、在圏するＢＴＳ−Ａ３４のセル３１の中でのみユーザが移動したり、周辺のノイズの状況に変化が生じた場合、ＢＴＳ−Ａ３４とＢＴＳ−Ｃ３６との中間地点（図３で言うと３８の地点）に移動した場合などには、セルリセレクションの開始と終了時の在圏セル自体は同じだが、ＭＡＣ層２３によるアクティブセルのモニター中にＢＴＳ−Ｂ３５やＢＴＳ−Ｃ３６がアクティブセルとなったりする場合も考えられる。
【００５４】
更に、セルリセレクションの開始時と終了時で在圏セル自体が入れ替わるが単位時間当たりで複数のセルがアクティブセルとして検出されることも想定される。
【００５５】
以上を整理すると、
ａ）同一セルが常にアクティブセルである場合
ｂ）セルリセレクションのＭＡＣ層２３によるアクティブセルモニター中に報告されるアクティブセルは毎回同一とは限らないが、単位時間当たりで評価したとき、同一セルが多く報告される場合
ｃ）ＭＡＣ層２３によるモニター中にアクティブセルが時間に応じて変化し、同一のものが報告されない場合
という分類ができる。
【００５６】
本発明の第一の実施例では、この中で、ａ）とｂ）の在圏セルが同一若しくは単位時間当たりに重複する頻度が高いと判断される場合に無用なセルリセレクションの発生を抑止することを目的とする。具体的には、ＭＡＣ層２３のアクティブセルのモニター周期を延長し、ＭＡＣ層２３のモニター回数を減らすことで実現される。
【００５７】
最初にａ）の場合の動作について図４に基づいて説明する。
【００５８】
電源投入直後、自身が存在する基地局のセル（パスロスのもっとも小さなセル）を確認した後、ＭＡＣ層２３はＴｍｏｎ（モニター周期）をＴｏ（初期値）に、モニター時間を表すタイマ値Ｔを０に設定する（Ｓ４００）。ＲＲＣ２１からセルリセレクション指示が出されるとＭＡＣ層２３はアクティブセルのモニターを開始する（Ｓ４０１：Ｙｅｓ）。
【００５９】
ＲＲＣ２１からセルリセレクションの開始指示を受けると、ＭＡＣ層２３はタイマ値ＴのカウントＴｍｏｎ経過後（Ｓ４０２）、アクティブセルのモニターを行う（Ｓ４０３）。前回モニターしたアクティブセルと今回のモニターしたアクティブセルが相違すれば（Ｓ４０３：Ｎｏ）、ＭＡＣ層２３はＴｍｏｎ＝Ｔｏにする（Ｓ４０４）。一方前回モニターしたアクティブセルと今回モニターしたアクティブセルが同一であれば（Ｓ４０３：Ｙｅｓ）、Ｔが規定値Ｔ１を超えたかを確認する（Ｓ４０５）。ＴがＴ１を超えていなければ（Ｓ４０５：Ｎｏ）、Ｔｍｏｎ経過後（Ｓ４０２）、再びアクティブセルの確認をＭＡＣ層２３が行う（Ｓ４０３）。一方、ＴがＴ１を越えていれば（Ｓ４０４：Ｙｅｓ）、Ｔｍｏｎを既定のＴｘ分増加して、Ｔを０に戻す。これによりＭＡＣ層２３のモニター間隔を伸ばし、ＭＡＣ層２３の単位時間当たりのモニター回数を低減させる。併せて、端末全体の電力消費量を低減する効果を生む。なお、図４ではＴｍｏｎの値を累積的に延長可能なようにしたが、一度Ｔｍｏｎの値を伸ばしてその値で固定することも可能である。
【００６０】
一方、ｂ）の場合の動作を以下で説明する。ａ）の場合と異なり、ｂ）の場合はＭＡＣ層２３のモニター周期でなく、ネットワーク側から送られるＲＲＣ２１のセルリセレクションの周期を変更することで行う。
【００６１】
セルリセレクションは端末のＲＲＣ（図２のＲＲＣ２１に相当）と基地局のＲＲＣとの間で行われるＲＲＣコネクションと密接な関係がある。
【００６２】
セルリセレクションはＲＲＣ２１内のセルリセレクション機能によって物理層２２に対し現状行っている送受信を停止し、受信のみ行うことを指示・制御するところから開始される。物理層２２を介してＭＡＣ層２３は基地局から送信されるＢＣＣＨを参照してアクティブセルを検出する。モニター期間中に検出したアクティブセル及び各アクティブセル毎に検出した回数を参照してＭＡＣ層２３は報告在圏セルを特定する。報告在圏セルとは、ＲＲＣ２１に対して現在端末が存在していると考えられるとＭＡＣ層２３が報告するセルのことである。
【００６３】
報告在圏セルの送付を受けるとＲＲＣ２１は現在属しているセルを基地局側のＳＲＮＣに対して報知するため、物理層２２に送信の開始を指示し、その後、セルリセレクションが行われた結果を基地局経由でＣＣＣＨメッセージのパラメータの一つとしてＳＲＮＣに送り返す（セルアップデート）。セルアップデートの内容を解析して、現在端末が選択している基地局をＳＲＮＣが登録したら、ＤＣＣＨメッセージ中の一つのパラメータとして端末にその登録が行われた旨を報告する（セルアップデートコンファーム）。このセルリセレクションは端末側からその処理を開始するが、リセレクションの周期は基地局側から送信される。これが、セルリセレクションの一般的な処理手順であり、これについては、非特許文献２に概説されている。なお、図７は非特許文献２の中で上述の処理にもっとも関連性のある箇所を抜粋したものである。
【００６４】
本ケースにあっては、ＲＲＣ２１によるセルリセレクションの周期を端末側が任意に変更可能なようにすることで本ケースを処理することに特徴がある。以下、図５を用いて説明する。
【００６５】
端末の電源を投入すると、ＲＲＣ２１はＴresel（セルリセレクションの周期）を初期値であるＴdefに設定する（Ｓ５０１）。その後、セルリセレクションを行うか否かの判定対象となるＴを０に設定する（Ｓ５０２）。ＴがＴreselより小さい間は（Ｓ５０３：Ｎｏ）、セルリセレクションは行わず、ひたすらＴを加算し続ける（Ｓ５０４）。ＴがＴreselより大きくなったら（Ｓ５０３：Ｙｅｓ）、ＲＲＣ２１はセルリセレクションを開始する。上述の通り、セルリセレクションを開始するとＲＲＣ２１は物理層２２に対し送受信を一度停止させ、受信のみを行わせる。物理層２２はアナログデータをデジタルデータに復調し、ＭＡＣ層２３にデジタルデータを報告する。物理層２２から送信されたデータの内容を参照してＭＡＣ層２３はＢＣＣＨをモニターすることでアクティブセルを特定し、所定のモニター期間（図４のＴ１）中に端末の在圏セルが何回変わったかをカウントする。例えば、
Ａ→Ａ→Ｂ→Ｃ→Ａ（サンプル１）
と在圏セルが変化した場合には、セルＡが３回、セルＢ、セルＣが各１回とカウントする。一方、
Ａ→Ａ→Ｂ→Ｃ→Ｃ（サンプル２）
と在圏セルが変化した場合には、セルＡ、セルＣが各２回、セルＢが１回とカウントする。
【００６６】
ＭＡＣ層２３がモニター期間中に検出されたアクティブセル及び検出されたアクティブセル毎の検出回数から報告在圏セルを決定する。ここで、Ｔ２秒間に特定のセルがＮ回発生した場合としなかった場合とで、ＭＡＣ層２３の報告在圏セルの選択方法が異なる。特定の在圏セルがＮ回カウントされた場合、例えばサンプル１でＮ＝３の場合、には、ＭＡＣ層２３は報告在圏セルをその該当するセルにする。なお、Ｎの値をどの様にするかは設計事項である。また、ｂ）の場合には、アクティブセルが変化することからモニター周期Ｔｍｏｎは初期値であると考えられるため、一定の値で固定しても良いが、可変としても良い。
【００６７】
一方サンプル２のようにある在圏セルのモニターされた回数が規定の値Ｎに到達しない場合には、ＭＡＣ層２３は任意のセルを在圏セルとする。例えば、もっともモニターされた回数の多いもの（サンプル２の場合にはセルＡまたはセルＣ）や、モニターされた最新のセル（サンプル２の場合にはセルＣ）をＭＡＣ層２３は報告在圏セルとしても良い。どのようなものを報告在圏セルとするかはＭＡＣ層２３の設計事項である。
【００６８】
そして、ＭＡＣ層２３は報告在圏セルを決定した後、ＲＲＣ２１に対して報告在圏セルを報告する（Ｓ５０６）。ＲＲＣ２１は報告された報告在圏セルとモニター開始時の在圏セルとを対比し、双方が同じである場合には、静止状態と判断する（Ｓ５０７：Ｙｅｓ）。そしてＲＲＣ２１はＴreselを所定のＴyだけ延長する（Ｓ５０８）。
【００６９】
一方、モニター開始時の在圏セルと報告在圏セルが相違する場合には（Ｓ５０７：Ｎｏ）、端末が移動状態であるとＲＲＣ２１は判断する。移動状態と判断すると、ＲＲＣ２１はＴreselを初期値Ｔdefに初期化する（Ｓ５０９）。
【００７０】
そしてＲＲＣ２１は在圏セルを報告在圏セルとして報告されたものにおきかえる。
【００７１】
ＲＲＣ２１はリセレクションの結果として報告在圏セルをＳＲＮＣに送付すべく、物理層２２に送信制御開始の指示を出す。そして、ＲＲＣ２１はＴreselを含むデータをＳＲＮＣに送信し（セルアップデート）、その後のＳＲＮＣからのセルアップデートコンファームを待つ。
【００７２】
なお、図５ではＴreselの値を累積的に増加させることを想定している。しかし、ａ）の場合同様、一度Ｔreselの値を増加させると、その後は初期値に戻す以外はＴreselを固定しても良い。
【００７３】
以上のように、セルリセレクションの周期を変動させることで、電力効率及び不要なセルリセレクションの抑制を十分に考慮した動作を可能にする。
【実施例２】
【００７４】
上述の実施例１では、ａ）同一セルが常にアクティブでセルリセレクションが生じない場合の判定方法として、Ｔ１秒間在圏セルが同一である場合に同一セルであると判定している（図４Ｓ４０２〜Ｓ４０４）。それに代えて、モニター回数が一定値以上連続した際にＴmonの値を変更するようにしても良い。この際、異なるセルリセレクションに渡ってモニター回数が連続してもＴmonの値を変更するか否かは設計事項である。
【実施例３】
【００７５】
上述の実施例１では、移動状態と判定した際、いきなりリセレクション周期Ｔreselを初期値に戻していたが、何回か連続して移動状態になった際に、初期値に戻すようにしても良い。逆に何回か連続して移動状態（Ｔresel）になった際に始めてＴreselの時間を延長するようにしても良い。図６は逆に何回か連続して移動状態（Ｔresel）になった際に始めてＴreselの時間を延長するようにしたさいのフローチャートである。この図は図５とほぼ共通する為、同様の処理が行われる箇所に着いては図５と同一の番号を振っている。したがって、下記は相違する箇所のみ説明する。
【００７６】
ＭＡＣ層２３がＲＲＣ２１に対して報告在圏セルを送信する（Ｓ５０６）。ＲＲＣ２１はこの報告在圏セルがリセレクション開始時の在圏セルと同一であれば（Ｓ５０７：Ｙｅｓ）、次に、ＲＲＣ２１は規定のリセレクション回数以上、在圏セルが変化しなかったかを確認する（Ｓ６０１）。規定のリセレクション回数に達していなければ（Ｓ６０１：Ｎｏ）、再度Ｔresel後にセルリセレクションを行うべくＴの値を初期化する（Ｓ５０２）。一方規定のリセレクション回数に達していれば（Ｓ６０１：Ｙｅｓ）、Ｔresel所定のＴyだけ延長する（Ｓ５０８）。
【００７７】
在圏セルがセルリセレクション前後で同一でない場合にも、Ｓ６０１に相当するステップを取り入れることで、何回か連続して移動状態になった際に初期値に戻すようすることもできる。
【産業上の利用可能性】
【００７８】
上述の実施例ではＷ−ＣＤＭＡ方式の携帯電話機に限定して説明したが、必ずしもこれに限定されるものではない。例えば、ｃｄｍａ２０００方式への応用も可能である。
【図面の簡単な説明】
【００７９】
【図１】本発明に係る携帯電話機の構成を表すブロック図である。
【図２】本発明に係る携帯電話機の無線部１２の構成を表すブロック図である。
【図３】Ｗ−ＣＤＭＡ方式のセルサーチの概念図である。
【図４】本発明の第１の実施例に係る携帯電話機が同一地点で静止していると判断された際、無線部１２のＲＲＣ２１及び測定部２７の動作を表すフローチャートである。
【図５】本発明の第１の実施例に係る携帯電話機が同一地点で静止していると判断された際、無線部１２のＲＲＣ２１及び測定部２７の動作を表すフローチャートである。
【図６】本発明の第３の実施例に係る携帯電話機が同一地点で静止していると判断された際、無線部１２のＲＲＣ２１及び測定部２７の動作を表すフローチャートである。
【図７】非特許文献２のＣＥＬＬ  ＵＰＤＡＴＥ処理手順を表すシーケンスチャートである。
【符号の説明】
【００８０】
１        携帯電話機
１１      アンテナ
１２      無線部
１３      制御部
１４      メモリ部
１５      表示部
１６      操作部
１７      スピーカ
１８      マイク
２１      ＲＲＣ
２２      物理層
２３      ＭＡＣ層
２４      ＲＬＣ群
【図１】
2005295037.tif 000003
【図２】
2005295037.tif 000004
【図３】
2005295037.tif 000005
【図４】
2005295037.tif 000006
【図５】
2005295037.tif 000007
【図６】
2005295037.tif 000008
【図７】
2005295037.tif 000009